(57)【要約】      （修正有）【課題】火災発生場所や避難経路などの異常発生時に必要となる場所を適切に照明可能とする。【解決手段】防災監視システムは、受信機１０から引き出された伝送線１２に接続したアナログ型火災感知器１４により火災などの異常を検出して警報する。アナログ型火災感知器１４には、監視エリアの一部または全部を照明する照明装置４８と照明装置４８を駆動させる照明判定制御部５２が設けられ、受信機１０には、火災を検出して警報した際に、火災を検出したアナログ型火災感知器１４に対し照明駆動信号を送信して照明装置４８を点灯させる照明遠隔制御部４０を設ける。【選択図】図２
2010146448.tif 000002
【特許請求の範囲】
【請求項１】
異常を検出する検知器により監視エリアの異常を検出して警報する監視システムに於いて、
前記検知器は、
異常を検出するセンサと、
監視エリアの一部または全部を照明する照明装置を備え、
前記受信機に、前記検知器の異常検出状況に応じて、所定の検知器に対し照明制御信号を出力する照明遠隔制御部を設けたことを特徴とする監視システム。
【請求項２】
請求項１記載の監視システムに於いて、前記照明遠隔制御部は異常を検出した検知器に対し照明を点灯させる照明制御信号を出力することを特徴とする監視システム。
【請求項３】
請求項１または２記載の防災監視システムに於いて、前記照明遠隔制御部は、更に、異常を検出した前記検知器の周辺に設置されている検知器に照明を点灯させる照明制御信号を出力することを特徴とする監視システム。
【請求項４】
請求項１または２記載の防災監視システムに於いて、前記照明遠隔制御部は、更に、避難経路に設置されている検知器に照明を点灯させる照明制御信号を出力することを特徴とする監視システム。
【請求項５】
請求項１乃至４のいずれかに記載の監視システムに於いて、
前記検知器は、前記センサが人体を検出しないものである場合に、前記センサに加え、更に、人体を検出する人感センサを備え、
前記受信機または前記検知器は、前記検知器の異常検出状況と前記人感センサによる人体検出状況とに応じて前記照明装置を駆動させる照明判定制御部を備えることを特徴とする監視システム。
【請求項６】
請求項１乃至４のいずれかに記載の監視システムに於いて、
前記検知器は、前記センサが明暗を検出しないものである場合に、前記センサに加え、更に、監視エリアの明るさを検出する明暗センサ備え、
前記受信機または前記検知器は、前記検知器の異常検出状況と前記明暗センサによる明るさ低下検出状況とに応じて前記照明装置を点灯駆動する照明判定制御部を備えることを特徴とする監視システム。
【請求項７】
請求項１乃至４のいずれかに記載の監視システムに於いて、
前記検知器は、前記センサが人体および明暗のいずれも検出しないものである場合に、前記センサに加え、更に、
人体を検出する人感センサと、
監視エリアの明暗を検出する明暗センサと、
を備え、
前記受信機または前記検知器は、前記検知器の異常検出状況と、前記人感センサによる人体検出状況と、前記明暗センサによる明るさ低下検出状況とに応じて前記照明装置を点灯駆動する照明判定制御部を備えることを特徴とする監視システム。
【請求項８】
請求項１乃至７のいずれかに記載の監視システムに於いて、前記照明判定制御部は、前記照明装置の駆動を開始した後、駆動状態を少なくとも所定期間保持することを特徴とする監視システム。
【発明の詳細な説明】
【技術分野】
【０００１】
本発明は、受信機からの伝送線に接続した検知器により火災やガス漏れ、地震、侵入など各種の異常を検出して受信機で警報する監視システムに関する。
【背景技術】
【０００２】
従来、異常を監視して警報する監視システムとして例えばビルなどの施設の防災監視システムがある。このような防災監視システムにあっては、受信機から引き出された伝送線に例えば伝送機能を備えた火災感知器を接続し、受信機から火災感知器に一定周期で一括Ａ変換コマンドを送信して煙濃度や温度などのセンサデータを検出し、続いて、火災感知器のアドレスを指定したポーリングコマンドの送信によりセンサデータを応答受信し、受信したセンサデータを所定の閾値と比較し、閾値を超えたときに火災と判断して火災警報を行うようにしている。
【０００３】
また、防災監視システムとは別に、ビルなどの施設にあっては、停電時に非常灯を点灯して安全を確保するため非常照明設備が設置されており、停電時には自動的にバッテリーによる非常電源に切り替わり、非常灯を所定時間点灯するようにしている。
【０００４】
一方、現在、住宅における火災やガス漏れなどの異常を検出して警報する住宅用警報器（以下「住警器」という）が普及しており、また近年にあっては、１つの住戸に複数の住警器を設置して部屋毎に火災などの異常を監視する傾向も増加している。
【０００５】
このような住警器の分野では、住警器に照明装置を設け、停電時に非常灯として点灯させるものや（特許文献１）、火災を検出した時に発光表示部を作動して床面に向けて光を照射し、照明が消されている夜間などに火災が発生した場合の避難を行いやすくしたもの（特許文献２）が提案されている。
【０００６】
また、火災を検出して避難誘導灯を点灯駆動する避難誘導システムも知られている（特許文献３）。
【特許文献１】特開２００５−２９３３０８号公報
【特許文献２】特開２００６−３９８１８号公報。
【特許文献３】特開平１０−２４０１７３号公報
【発明の開示】
【発明が解決しようとする課題】
【０００７】
しかしながら、このような従来のビルなどに設置した監視システムは、照明が消えている夜間などに火災等の異常が発生した場合の現場確認や暗所に於ける安全避難などに細かく配慮されたものではないため、異常発生時に混乱を抑制する効果が、少なくとも不足していた。例えば非常口案内灯も出入り口付近等に点在して設置されているが、これだけでは充分な照明を得ることが出来なかった。
【０００８】
また、このような従来の監視システムは、照明や避難誘導灯などの連動先機器やシステムを検知器とは別に設置しなければならず、システムの大規模化や複雑化と共に機器費用や設置、配線費用等が高額となる。さらに検知器とは別に照明装置の設置場所や配線場所を割かなければならないといったスペース上、美観上の問題点もあった。
【０００９】
本発明は、火災等の異常発生場所や避難経路などを適切に照明する効率的な監視システムを提供することを目的とする。
【課題を解決するための手段】
【００１０】
本発明は、受信機から引き出された伝送線に接続した検知器により監視エリアの異常を検出して警報する監視システムに於いて、
検知器は、
異常を検出するセンサと、
監視エリアの一部または全部を照明する照明装置備え、
受信機に、
検知器の異常検出状況に応じて、所定の検知器に対し照明制御信号を出力する照明遠隔制御部を設けたことを特徴とする。
【００１１】
ここで、受信機の照明遠隔制御部は異常を検出した検知器に対し照明を点灯させる照明制御信号を出力する。
【００１２】
また、受信機の照明遠隔制御部は、更に、異常を検出した検知器の周辺に設置されている検知器に対し照明を点灯させる照明制御信号を出力する。
【００１３】
また、受信機の照明遠隔制御部は、更に、避難経路に設置されている検知器に照明を点灯させる照明制御信号を出力する。
【００１４】
検知器は、センサが人体を検出しないものである場合に、センサに加え、更に、人体を検出する人感センサを備え、受信機または検知器は、検知器の異常検出状況と、人感センサによる人体検出状況とに応じて照明装置を駆動させる照明判定制御部を備える。
【００１５】
検知器は、センサが明暗を検出しないものである場合に、センサに加え、更に、監視エリアの明るさを検出する明暗センサ備え、受信機または検知器は、検知器の異常検出状況と、明暗センサによる明るさ低下検出状況とに応じて照明装置を点灯駆動する照明判定制御部を備える。
【００１６】
検知器は、センサが人体および明暗のいずれも検出しないものである場合に、センサに加え更に、
人体を検出する人感センサと、
監視エリアの明暗を検出する明暗センサと、
を備え、
受信機または検知器は、検知器の異常検出状況と、人感センサによる人体検出状況と、明暗センサによる明るさ低下検出状況とに応じて照明装置を点灯駆動する照明判定制御部を備える。
【００１７】
検知器の前記照明判定制御部は、照明装置の駆動を開始した後、駆動状態を少なくとも所定期間保持する。
【発明の効果】
【００１８】
本発明によれば、受信機からの伝送線に接続された火災感知器などの検知器そのものに照明装置が設けられており、火災検出時には受信機からの遠隔駆動により火災を検出した火災感知器、その周辺の火災感知器、或いは非難経路に設置されている火災感知器の照明装置を点灯して監視エリアの一部又は全部を照明することができ、火災発生現場の確認や非難経路の安全確保が別の非常灯設備に依存せず、防災監視システムの機能として実現することができ、火災などの異常監視における対応処理が迅速且つ適切にでき、また不要な混乱を起こすとことなく安全に避難誘導する照明環境を構築できる。
【００１９】
このようなシステムの検知器は、天井や壁面上部等、照明装置の設置にも適した場所に設置されるため、検知器に一体に照明装置を設けることはこの点でも好ましく、より効果的な照明を得ることが出来る。少なくとも、他の照明装置による照明の不足を効率的に補う効果を奏する。
【００２０】
また、従来の監視システムに於いて照明や避難誘導灯などの連動先機器やシステムを検知器とは別に設置しなければならず、システムの大規模化や複雑化と共に機器費用や設置、配線費用等が高額となる問題点を改善又は解消することができる。
【００２１】
また、検知器とは別に照明装置の設置場所や配線場所を割かなければならないといった、スペース上、美観上の問題点を改善又は解消することができる。
【００２２】
また、火災などの異常を検出したときに、人感センサにより人体検出が行われた場合にのみ照明装置を駆動して監視エリアの一部または全部を照明して安全に避難できるようにし、人体検出が行われていない場合には、照明装置を点灯駆動しないようにして不必要な電力消費を回避して受信機の電源容量を小さくすることができる。
【００２３】
また、火災などの異常を検出したときに、明暗センサにより明るさ低下検出が行われていた場合にのみ照明装置を点灯駆動して監視エリアの一部または全部を照明し、照明の必要のない昼間は照明装置を駆動しないようにして不必要な電力消費を回避し、受信機の電源容量を小さくすることができる。
【００２４】
また、火災などの異常を検出したときに、人感センサにより人体検出が行われ且つ明暗センサにより明るさ低下が検出されにのみ照明装置を駆動して監視エリアの一部または全部を照明し、照明の必要な夜間であっても、人がいる場合にのみ照明装置を駆動し、安全確保を損なうことなく不必要な電力消費を回避し、受信機の電源容量を小さくすることができる。
【００２５】
また一度照明装置を駆動したら所定時間の間は駆動状態を保持することにより、人感センサや明暗センサがオン、オフを繰り返しても、これに追従することなく、照明装置の駆動状態を安定させ、避難途中で突然周囲の照明が消えてしまう等の危険要因を削減することができる。
【発明を実施するための最良の形態】
【００２６】
図１は本発明による防災監視システムの概略を示した説明図である。図１において、受信機１０からは施設の警戒エリアに向けて伝送線１２が引き出され、伝送線１２に対し検知器としてアナログ型火災感知器１４を接続している。
【００２７】
また伝送線１２には中継器１６が接続され、中継器１６から引き出された感知器回線１８に検知器としてオンオフ型火災感知器２０を接続している。更に別の中継器１６にはガス漏れ検知器２２が接続されている。
【００２８】
アナログ型火災感知器１４及び中継器１６は、受信機１０との間で情報を双方向伝送する伝送機能を備えており、それぞれ固有のアドレスが予め割り当てられている。１つの伝送線１２に接続できるアナログ型火災感知器１４及び中継器１６の数は、例えば最大アドレス数が１２７アドレスの場合、１２７台を接続することができる。
【００２９】
伝送線１２に接続したアナログ型火災感知器１４には照明装置４８が設けられており、後の説明で明らかにするように、火災などの異常検出時に受信機１０からの遠隔制御を受けて照明装置４８を点灯駆動して、警戒エリアの一部または全部を照明できるようにしている。
【００３０】
図２は本発明による防災監視システムの第１実施形態を示したブロック図であり、図１に示した受信機１０及びアナログ型火災感知器１４について、その詳細を示している。
【００３１】
図２において、受信機１０にはプロセッサ２４が設けられ、プロセッサ２４に対しては伝送制御部２６、表示部２８、操作部３０、音響警報部３２及び移報部３４が設けられ、更に受信機１０及び伝送線１２を介してアナログ型火災感知器１４側に電源を供給する電源部３６が設けられている。
【００３２】
ここでプロセッサ２４は、ＣＰＵ、ＲＯＭ、ＲＡＭ、ＡＤ変換ポート、各種の入出力ポートなどをハードウェアとして備えている。プロセッサ２４にはプログラムの実行により実現される機能として、防災監視部３８と照明遠隔制御部４０が設けられている。
【００３３】
一方、アナログ型火災感知器１４にはプロセッサ４２が設けられ、プロセッサ４２に対しては伝送制御部４４、火災センサ４６及び照明装置４８が設けられている。伝送制御部４４は、受信機１０に設けた伝送制御部２６との間でコマンド、データなどの双方向データ伝送を行う。
【００３４】
火災センサ４６は火災に伴う煙濃度や温度を検出するもので、例えば煙濃度の検出については光電式検煙部が使用され、温度検出についてはサーミスタなどの半導体素子等が使用される。
【００３５】
照明装置４８は例えば白色ＬＥＤを使用しており、点灯駆動により警戒エリアの一部または全部を照明する。照明装置４８の照度は、受信機１０に設けている電源部３６の電源容量に収まる範囲内で適宜の照度のものが使用され、例えば非常灯設備における非常灯と同程度の照明を可能とする。なお照明としての実質的な目的を達成することができれば、照明装置４８の駆動は間欠的に行ってもよい。
【００３６】
アナログ型火災感知器１４に設けたプロセッサ４２はワンチップマイコンとして知られたコンピュータであり、１チップにＣＰＵ、ＲＯＭ、ＲＡＭ、ＡＤ変換ポート、各種の入出力ポートなどを備えている。
【００３７】
プロセッサ４２には、プログラムの実行により実現される機能として火災検出処理部５０と照明制御部５２が設けられている。
【００３８】
火災検出処理部５０は、後の説明で明らかにする火報伝送アルゴリズムに従った受信機１０からの指示に従って、火災センサ４６の検出データを取り込んで受信機１０側に伝送する。アナログ型火災感知器１４からのセンサデータに基づき、受信機１０のプロセッサ２４に設けた防災監視部３８で火災が判断されると、プロセッサ２４に設けている照明遠隔制御部４０が、火災を検出したアナログ型火災感知器１４に対し照明制御信号としての照明点灯駆動コマンドを送信する。
【００３９】
照明判定制御部５２は、受信機１０側の、たとえばプロセッサ２４内に備えても良いが、ここでは検知器としてのアナログ型火災感知器１４側のプロセッサ４２内に備える例を示す。アナログ型火災感知器１４に設けた照明判定制御部５２は、受信機１０からの照明点灯駆動コマンドを受信すると、照明装置４８を駆動して、監視エリアの一部または全部を照明する。
【００４０】
受信機１０の照明遠隔制御部４０は、火災検出時に、火災を検出したアナログ型火災感知器１４に照明駆動コマンドを送信して照明装置４８を点灯駆動することを基本とするが、更に、火災を検出しているアナログ型火災感知器１４の周辺に設置されている他のアナログ型火災感知器に照明駆動コマンドを送信して点灯させることで、火災発生エリア及びそれに隣接した周辺エリアについても照明を行うことができる。
【００４１】
更に、火災を検出した際には、例えばビルの火災であれば火災発生階及びその上下階にいる人を避難させる必要があり、このような避難のために照明遠隔制御部４０は、避難経路に設置されているアナログ型火災感知器１４に照明駆動コマンドを送信して点灯させることで、非難経路を照明して安全に非難を行わせることもできる。
【００４２】
もちろん、全館のアナログ型火災感知器に一斉に照明駆動コマンドを送信して点灯させても良いし、たとえば各階のアナログ型火災感知器１４に順次、段階的に照明駆動コマンドを送信して点灯させることも出来る。
【００４３】
このように照明遠隔制御部４０が火災を検出したアナログ型火災感知器以外の、他のアナログ型火災感知器に対し照明駆動コマンドを送信して駆動させる場合には、各感知器が火災検出した場合に、照明を連動させるかを、感知器毎の連動テーブルとして予め作成してプロセッサ２４のメモリに記憶しておき、火災検出時に、この連動テーブルを参照して照明駆動する感知器を認識し、照明駆動コマンドを送信することになる。
【００４４】
ここで、本実施形態における火報伝送アルゴリズムを説明すると次のようになる。まず受信機１０からアナログ型火災感知器１４及び中継器１６に対する下り信号は電圧モードで伝送している。この電圧モードの信号は、伝送線１２の電圧を例えば１８ボルトと３０ボルトの間で変化させる電圧パルスとして伝送される。
【００４５】
これに対しアナログ型火災感知器１４及び中継器１６からの上り信号は電流モードで伝送される。この電流モードにあっては、伝送線１２に伝送データのビット１のタイミングで信号電流を流し、いわゆる電流パルス列として上り信号が受信機に伝送される。
【００４６】
受信機１０は通常の監視時にあっては、端末アドレスを順次指定した正常監視用のポーリングコマンドを送信しており、アナログ型火災感知器１４及び中継器１６は自己の設定アドレスに一致するポーリングコマンドを受信すると正常監視応答を行う。このため受信機１０にあっては、ポーリングコマンドに対し応答がなかったアナログ型火災感知器１４または中継器１６を障害として検出することができる。
【００４７】
また受信機１０は、すべての感知器アドレスに対するポーリングコマンドの送信周期ごとに一括ＡＤ変換コマンドを繰り返し送信している。アナログ型火災感知器１４は受信機１０からの一括ＡＤ変換コマンドを受信すると、火災センサ４６により検出している煙濃度や温度などのアナログ検出データをサンプリングし、予め定めた火災レベルと比較している。
【００４８】
サンプリングしたアナログ検出データが火災レベルを超えた場合には、受信機１０に対しポーリングコマンドに対する応答タイミングで割込信号を送信する。この割込信号は、応答ビット列をオール１とするような通常は使用されない信号を送る。
【００４９】
中継器１６も、受信機１０からの一括ＡＤ変換コマンドに基づき、感知器回線１８に接続しているオンオフ型火災感知器２０あるいはガス漏れ検知器２２の受信状態をサンプリングし、火災発報あるいはガス漏れを検出した場合には、受信機１０に対し割込信号を送信する。
【００５０】
受信機１０は、アナログ型火災感知器１４または中継器１６からの割込信号を受信すると、グループ検索コマンドを発行し、火災を検出したアナログ型火災感知器１４または中継器１６を含むグループからの割込応答を受信してグループを判別する。
【００５１】
続いて、判別したグループに含まれる個々のアナログ型火災感知器や中継器に対し、順次アドレスを指定したポーリングを行い、アナログデータや火災発報データなどの火災応答を受けることで、火災を検出したアナログ型火災感知器１４または中継器１６の感知器アドレスを認識し、火災警報動作を行うことになる。
【００５２】
更に、アナログ型火災感知器１４は、一度火災割込みを送信した後、復旧されていない状態の時に、センサデータが変化して火災レベルを下回る所定のレベル（火災ＯＦＦレベル）以下になったときには、火災ＯＦＦと判定し、火災ＯＦＦ割込みを送信する。火災ＯＦＦレベルは、ヒステリシスを考慮して、火災レベルよりもやや低い値に設定されている。
【００５３】
受信機１０はアナログ火災感知器１４からの火災ＯＦＦ割込みを受信すると、火災割込み時と同様なＯＦＦ検索処理を行って火災ＯＦＦとなった感知器アドレスを検索し、必要な照明遠隔制御処理を行う。
【００５４】
図３は図２の受信機１０に設けたプロセッサ２４により実行される火災監視処理の概略を示したフローチャートである。実際の火災監視処理は更に複雑であるが、説明の簡単のためここでは簡略化している。図３において、受信機１０の電源を投入すると、プロセッサ２４はステップＳ１で初期化及び自己診断処理を行った後、ステップＳ２で所定周期ごとのサンプルタイミングへの到達をチェックしている。
【００５５】
サンプルタイミングを判別すると、ステップＳ３に進み、一括ＡＤ変換コマンドを伝送線１２に送信する。続いてステップＳ４で端末アドレスを順次指定してポーリングコマンドを送信するポーリング処理を実行し、このポーリングコマンドの送信に対し、正常応答の有無により端末側の障害監視を行っている。
【００５６】
続いてステップＳ５で火災割込みの有無をチェックしており、火災割込みを受信すると、ステップＳ６に進み、グループアドレスの指定によるグループ検索、これに続くグループ内のアドレスを順次指定した火災検出アドレスの検索処理を行い、ステップＳ７で感知器アドレスまたは中継器の感知器アドレス（中継器アドレス）を特定した火災警報表示を行う。
【００５７】
続いてステップＳ８で伝送線１２に対し照明駆動コマンドを送信する照明遠隔処理を実行する。この照明遠隔処理は、火災を検出した感知器アドレスを指定した照明駆動コマンドの送信に加え、必要に応じて、その周辺の感知器アドレスを指定した照明駆動コマンドの送信や、予め連動テーブルに登録された避難経路に設置されている感知器アドレスを指定した照明駆動コマンドの送信も行うことができる。
【００５８】
続いてステップＳ９に進み、復旧操作の有無を判別しており、復旧操作があれば、ステップＳ１０で復旧処理を行った後、再びステップＳ２に戻る。
【００５９】
なおアナログ型感知器１４には、火災発報したことを表示する発報表示灯（赤色ＬＥＤ等）が設けられており、受信機の警報処理には、この発報表示灯の駆動制御が含まれ、復旧処理には同表示灯の駆動停止制御が含まれる。
【００６０】
一方、ステップＳ６で火災割込みが無い場合は、火災ＯＦＦ割込みのチェックを行い、火災ＯＦＦ割込みを受信すると、ステップＳ１２でステップＳ６と同様のＯＦＦ検索処理を行い、ステップＳ１３で火災ＯＦＦ処理を行い、続いてステップＳ８で火災ＯＦＦに伴う照明遠隔制御処理として、照明駆動保持期間のチェック等を行った上で照明駆動停止コマンドの送信等を行う。
【００６１】
図４は図２のアナログ型火災感知器１４のプロセッサ４２による感知器処理の概略を示したフローチャートである。実際の火災監視処理は更に複雑であるが、説明の簡単のためここでは簡略化している。
【００６２】
図４において、感知器処理は、アナログ型火災感知器１４に対する伝送線１２による電源供給を受けて起動し、ステップＳ１１の初期化及び自己診断処理を行った後、ステップＳ１２に進み、受信機１０からの一括ＡＤ変換コマンド受信の有無をチェックしている。
【００６３】
一括ＡＤ変換コマンドを受信すると、ステップＳ１３に進み、火災センサ４６から出力している煙濃度や温度などのセンサ出力をＡＤ変換ポートから読み込んでＡＤ変換することにより、センサデータをサンプリングする。
【００６４】
続いてステップＳ１４でセンサデータを火災レベルと比較し、火災レベル未満であった場合には、ステップＳ１５で自己アドレスを指定したポーリングコマンドの受信を判別すると、ステップＳ１６で正常応答を送信する。この応答信号には、煙検出レベルや温度検出レベル等のセンサデータアナログ値を含む。
【００６５】
一方、ステップＳ１４でセンサデータが火災レベルを越えて火災と判断した場合には、ステップＳ１８で火災割込みを送信する。この火災割込みに対しては、受信機１０からの検索によりグループ検索コマンド及びグループ内検索コマンドが送られてくることから、それぞれのコマンドに対し応答を行って、火災を検出した自己アドレスを受信機１０側に認識させる。
【００６６】
ステップＳ１４でセンサデータが火災レベルを下回っていると判断した場合には、ステップＳ２４に進み、火災ＯＦＦか否かを判断する。すなわち、アナログ型火災感知器１４は一度火災割込みを送信した後、復旧されていない状態の時に、センサデータが変化して火災レベルを下回る所定のレベル（火災ＯＦＦレベル）以下になったときには、火災ＯＦＦと判定する。
【００６７】
従ってアナログ型火災感知器１４は、自己が火災割込みを送信した状態か否かを記憶しておかなければならない。火災ＯＦＦレベルは、ヒステリシスを考慮して、火災レベルよりもやや低い値に設定されている。ステップ２４で火災ＯＦＦを判断した場合には、ステップＳ２５、ステップＳ２６と進んで所定の火災ＯＦＦ処理を行う。
【００６８】
続いてステップＳ２０で照明駆動コマンドの受信の有無をチェックしており、照明駆動コマンドの受信を判別すると、ステップＳ２１に進み、照明装置４８を駆動制御して、警戒エリアの一部または全部を照明する。
【００６９】
照明駆動コマンドは、火災を検出した場合のみならず、例えば近くに設置している他のアナログ型火災感知器で火災を検出した場合や、感知器が避難経路に設置されているような場合にも、受信機１０からの照明駆動コマンドの受信が判別されて照明装置４８を駆動することになる。
【００７０】
照明装置４８を駆動した後は、ステップＳ２２で照明駆動停止コマンドの受信の有無を判別しており、照明駆動停止コマンドの受信を判別すると、ステップＳ２３で照明装置４８を駆動停止する。このとき、アナログ型火災感知器１４の照明判定制御部で、照明装置４８の駆動保持期間を管理させ、この期間経過の有無を参照した上で照明装置４８の駆動を停止させても良い。
【００７１】
図５は本発明による防災監視システムの第２実施形態を示したブロック図であり、アナログ型火災感知器１４側に人感センサを設けたことを特徴とする。
【００７２】
図５において、受信機１０の構成は図２の第１実施形態と同じであり、アナログ型火災感知器１４側についても、図２の実施形態に対し更に人感センサ５４を新たに設けた点が相違する。
【００７３】
人感センサ５４の検出状況を受信機１０に送信して、受信機側で火災発生状況と人体の存在状況を管理するようにすれば、照明判定制御部５２は受信機１０側の、たとえばプロセッサ２４内に設けて、受信機１０で照明判定制御を行っても良いが、ここでは検知器としてのアナログ型火災感知器１４側のプロセッサ４２内に備える例を示す。
【００７４】
人感センサ５４は、人体から放射される赤外線を検出して人体検出信号を出力する。人感センサ５４を新たに設けたことに伴い、プロセッサ４２に設けた照明判定制御部５２は、受信機１０から照明駆動コマンドを受信した際に、人感センサ５４による人体検出が判別されていることを条件に照明装置４８を駆動させる。即ち照明制御部５２は、受信機１０からの照明駆動コマンドと人感センサ５４の人体検出の両方が判別された場合に照明装置４８を駆動する。
【００７５】
更に照明制御部５２は、受信機１０からの照明駆動コマンドと人感センサ５４からの人体検出の両方に基づいて照明装置４８を駆動した場合、照明装置４８の駆動状態を予め定めた所定期間保持する。これによって、人の移動などにより人感センサ５４による人体検出のオンオフが繰り返されても、人体検出がなくなったときに照明装置４８を駆動停止するような不安定な動作をなくし、安定して照明装置４８を所定時間、人体検出がなくなっても点灯駆動させることができる。
【００７６】
図６は図５の感知器処理を示したフローチャートである。図６の感知器処理におけるステップＳ３１〜Ｓ３９の処理は、図４の第１実施形態におけるステップＳ１１〜Ｓ１９の処理と同じである。またステップＳ４７から４９の処理は、図４の第１実施形態におけるステップＳ２４〜Ｓ２６の処理と同じである。
【００７７】
続いてステップＳ４０で人感センサ５４による人体検出の有無をチェックしており、ステップＳ３９における照明駆動コマンドの受信に続いてステップＳ４０で人体検出が判別されると、ステップＳ４１に進んで照明装置４８を駆動する。
【００７８】
続いてステップＳ４２でタイマをスタートし、ステップＳ４３で所定時間経過したか否か判別している。所定時間を経過するまでは、ステップＳ４６で照明停止コマンドの受信の有無をチェックしており、照明停止コマンドの受信がなければ、ステップＳ４３からの処理を繰り返して照明装置４８の駆動を継続する。即ちタイマスタートによる所定の時間の間は、人感センサ５４による人体検出に依存することなく照明装置４８の駆動を継続する。
【００７９】
ステップＳ４３で所定時間経過を判別すると、ステップＳ４４に進み、人体検出の有無をチェックし、もし人体検出がなければ、ステップＳ４５に進み、照明装置４８の駆動を停止する。
【００８０】
ステップＳ４４で人体検出が判別されれば、ステップＳ４６〜Ｓ４３の処理を繰り返し、ステップＳ４４で人体検出がされなくなると、ステップＳ４５に進み、照明装置４８の駆動を停止することになる。また、その間に照明駆動停止コマンドの受信がステップＳ４６で判別されれば、同じくステップＳ４５に進み、照明装置４８を駆動停止することになる。
【００８１】
図７は本発明による防災監視システムの第３実施形態を示したブロック図であり、この実施形態にあっては、アナログ型火災感知器１４に明暗センサを設けたことを特徴とする。
【００８２】
図７において、受信機１０は図２の第１実施形態と同じであり、アナログ型火災感知器１４も基本的には図２の第１実施形態と同じであるが、新たに明暗センサ５６を設けている。明暗センサ５６としてはフォトダイオードやフォトトランジスタなどが使用され、監視エリアの明るさに応じた明るさ検出信号を出力する。
【００８３】
明暗センサ５６の検出状況を受信機１０に送信して、受信機側で火災発生状況と人体の存在状況を管理するようにすれば、照明判定制御部５２は受信機１０側の、たとえばプロセッサ２４内に設けて、受信機１０で照明判定制御を行っても良いが、ここでは検知器としてのアナログ型火災感知器１４側のプロセッサ４２内に備える例を示す。
【００８４】
明暗センサ５６を設けたことに伴い、プロセッサ４２の照明判定制御部５２は、受信機１０から照明駆動コマンドを受信した際に、明暗センサ５６の検出レベルが所定レベル以下の明るさとなる明るさ低下検出を判別すると、照明装置４８を駆動して監視エリアの一部または全部を照明する。
【００８５】
図８は図７の感知器処理を示したフローチャートであり、ステップＳ５１〜Ｓ６９の処理は図６に示した第２実施形態と基本的に同じであり、図６のステップＳ４０，Ｓ４４における人体検出の判別が、図８の第３実施形態にあっては、ステップＳ６０及びＳ６４の明るさ低下検出となっている点で相違するのみである。
【００８６】
この明暗センサ５６を設けた第３実施形態によれば、アナログ型火災感知器１４で火災が検出され、且つ警戒エリアの明るさが所定レベル以下に低下している場合に、照明装置４８を駆動して監視エリアの一部または全部を照明することになる。
【００８７】
図９は本発明による防災監視システムの第４実施形態を示したブロック図であり、この実施形態にあっては、アナログ型火災感知器１４に人感センサと明暗センサを設けるようにしたことを特徴とする。
【００８８】
図９の受信機１０は図２の第１実施形態と基本的に同じであり、アナログ型火災感知器１４については、人感センサ５４と明暗センサ５６を設けた点以外は図２の第１実施形態と同じである。
【００８９】
図９の第４実施形態にあっては、アナログ型火災感知器１４に人感センサ５４と明暗センサ５６を設けたことに伴い、プロセッサ４２の照明判定制御部５２は、受信機１０から照明駆動コマンドを受信した状態で、人感センサ５４による人体検出と明暗センサ５６による所定レベル以下の明るさ低下検出の両方が判定された場合に、照明装置４８を駆動して監視エリアの一部または全部を照明することになる。
【００９０】
図１０は図９の感知器処理を示したフローチャートであり、ステップＳ７１〜Ｓ８９の処理は図６に示した第２実施形態と基本的に同じであり、図６の第２実施形態におけるステップＳ４０，Ｓ４４の人体検出のチェックが、図１０の第４実施形態にあってはステップＳ８０及びＳ８４の人体検出及び明るさの低下検出となっている点で相違しているのみである。
【００９１】
この図１０の第４実施形態によれば、アナログ型火災感知器１４で火災を検出した際の受信機１０からの照明駆動コマンドの受信状態で、警戒エリアの人体検出が行われ、且つ明るさが所定レベル以下に低下した明るさ低下検出の場合、照明装置４８の駆動が行われる。
【００９２】
また照明装置の駆動はタイマスタートにより所定時間継続して行われ、途中で人感センサ５４の人体検出や明暗センサ５６による明るさ低下検出のオンオフがあっても、これによって照明装置の駆動が停止することなく、所定時間は安定的に照明装置４８を駆動することができる。
【００９３】
なお、上記の実施形態は、図１に示したように、アナログ型火災感知器１４に設けた照明装置４８を受信機１０からの照明駆動コマンドに基づいて駆動して監視エリアの一部または全部を照明するようにしているが、中継器１６に接続しているオンオフ型火災感知器２０やガス漏れ検知器２２に照明装置４８を設けて駆動するようにしてもよい。
【００９４】
この場合、中継器１６からの感知器回線１８に接続したオンオフ型火災感知器２０は受信機１０側との間に伝送機能を持たないことから、中継器１６に照明判定制御部５２を設けて回線毎の照明制御を行うか、オンオフ型火災感知器２０自身に、火災による発報動作で照明装置を点灯するような機能を設ければよい。または、受信機１０に照明判定制御部を設けて、受信機１０からオンオフ型火災感知器に感知器回線とは別の照明装置駆動用制御線を配線しても良い。
【００９５】
一方、ガス漏れ検知器２２にあっては、中継器１６と１対１に接続されることから、アナログ型火災感知器１４と同様に、受信機１０からの照明駆動コマンドの受信でガス漏れ検知器２２に設けている照明装置を駆動することができる。もちろんこの場合も、適宜のシステム構成変更により照明制御部５２はガス漏れ検知器２２以外の中継器１６や受信機１０に設けることが出来る。
【００９６】
本発明の実施の形態に於いては、検知器の異常検出に基づいて照明装置を点灯する場合について例を示したが、検知器の異常検出に基づいて照明装置を消灯することもできる。
【００９７】
また本発明による照明装置の点灯とは、実質的な視認性向上効果が得られる程度の、適宜の点滅、明滅を含む。
【００９８】
本発明には火災感知器や住警器、ガス漏れ検知器の他、感震センサを備える振動検知器、防犯用検知器、カメラ等の映像取得・撮像手段を備える異常検知器その他何らかの異常を検出する検知器が適用出来、本発明はこれら検知器を使用した各種の監視システムに適用することが出来る。
【００９９】
本発明は、無線式の検知器を使用する無線式監視システムにも適用出来る。
【０１００】
また本発明は、その目的と利点を損なうことのない適宜の変形を含み、更に上記の実施形態に示した数値による限定は受けない。
【図面の簡単な説明】
【０１０１】
【図１】本発明による防災監視システムの概略を示した説明図
【図２】本発明による防災監視システムの第１実施形態を示したブロック図
【図３】図２の受信機による火災監視処理を示したフローチャート
【図４】図２の感知器処理を示したフローチャート
【図５】本発明による防災監視システムの第２実施形態を示したブロック図
【図６】図５の感知器処理を示したフローチャート
【図７】本発明による防災監視システムの第３実施形態を示したブロック図
【図８】図７の感知器処理を示したフローチャート
【図９】本発明による防災監視システムの第４実施形態を示したブロック図
【図１０】図９の感知器処理を示したフローチャート
【符号の説明】
【０１０２】
１０：受信機
１２：伝送線
１４：アナログ型火災感知器
１６：中継器
１８：感知器回線
２０：オンオフ型火災感知器
２２：ガス漏れ検知器
２４，４２：プロセッサ
２６，４４：伝送制御部
２８：表示部
３０：操作部
３２：音響警報部
３４：移報部
３６：電源部
３８：防災監視部
４０：照明遠隔制御部
４６：火災センサ
４８：照明装置
５０：火災検出処理部
５２：照明判定制御部
５４：人感センサ
５６：明暗センサ
【図１】
2010146448.tif 000003
【図２】
2010146448.tif 000004
【図３】
2010146448.tif 000005
【図４】
2010146448.tif 000006
【図５】
2010146448.tif 000007
【図６】
2010146448.tif 000008
【図７】
2010146448.tif 000009
【図８】
2010146448.tif 000010
【図９】
2010146448.tif 000011
【図１０】
2010146448.tif 000012
【手続補正書】
【提出日】平成21年1月8日(2009.1.8)
【手続補正１】
【補正対象書類名】特許請求の範囲
【補正対象項目名】請求項１
【補正方法】変更
【補正の内容】
【請求項１】
異常を検出する検知器により監視エリアの異常を検出して警報する監視システムに於いて、
前記検知器は、
異常を検出するセンサと、
監視エリアの一部または全部を照明する照明装置を備え、
前記検知器の異常検出状況に応じて、所定の検知器に対し照明制御信号を出力する照明遠隔制御部を設けたことを特徴とする監視システム。
【手続補正２】
【補正対象書類名】特許請求の範囲
【補正対象項目名】請求項５
【補正方法】変更
【補正の内容】
【請求項５】
請求項１乃至４のいずれかに記載の監視システムに於いて、
前記検知器は、前記センサが人体を検出しないものである場合に、前記センサに加え、更に、人体を検出する人感センサを備え、
前記検知器の異常検出状況と前記人感センサによる人体検出状況とに応じて前記照明装置を駆動させる照明判定制御部を備えることを特徴とする監視システム。
【手続補正３】
【補正対象書類名】特許請求の範囲
【補正対象項目名】請求項７
【補正方法】変更
【補正の内容】
【請求項７】
請求項１乃至４のいずれかに記載の監視システムに於いて、
前記検知器は、前記センサが人体および明暗のいずれも検出しないものである場合に、前記センサに加え、更に、
人体を検出する人感センサと、
監視エリアの明暗を検出する明暗センサと、
を備え、
前記検知器の異常検出状況と、前記人感センサによる人体検出状況と、前記明暗センサによる明るさ低下検出状況とに応じて前記照明装置を点灯駆動する照明判定制御部を備えることを特徴とする監視システム。
【手続補正４】
【補正対象書類名】明細書
【補正対象項目名】００１０
【補正方法】変更
【補正の内容】
【００１０】
本発明は、受信機から引き出された伝送線に接続した検知器により監視エリアの異常を検出して警報する監視システムに於いて、
検知器は、
異常を検出するセンサと、
監視エリアの一部または全部を照明する照明装置備え、
検知器の異常検出状況に応じて、所定の検知器に対し照明制御信号を出力する照明遠隔制
【手続補正５】
【補正対象書類名】明細書
【補正対象項目名】００１５
【補正方法】変更
【補正の内容】
【００１５】
検知器は、センサが人体を検出しないものである場合に、センサに加え、更に、人体を検出する人感センサを備え、検知器の異常検出状況と、人感センサによる人体検出状況とに応じて照明装置を駆動させる照明判定制御部を備える。
【手続補正６】
【補正対象書類名】明細書
【補正対象項目名】００１６
【補正方法】変更
【補正の内容】
【００１６】
検知器は、センサが人体および明暗のいずれも検出しないものである場合に、センサに加え更に、
人体を検出する人感センサと、
監視エリアの明暗を検出する明暗センサと、
を備え、
検知器の異常検出状況と、人感センサによる人体検出状況と、明暗センサによる明るさ低下検出状況とに応じて照明装置を点灯駆動する照明判定制御部を備える。